(57)【要約】【課題】４色のカラーフィルタを用いて、ホワイトバランスの優れた液晶装置及び電子機器を提供すること。【解決手段】互いに対向する一対の基板間に挟持された液晶層と、画素を構成する複数のサブ画素に対応して形成された着色層１６Ｂ，１６ＥＧ，１６Ｒ，１６ＹＧを有するカラーフィルタ１６とを備え、複数のサブ画素の各々に透過領域を有する液晶装置であって、複数のサブ画素の着色層１６Ｂ，１６ＥＧ，１６Ｒ，１６ＹＧが、４種類のピーク波長を有し、各着色層１６Ｂ，１６ＥＧ，１６Ｒ，１６ＹＧの分光特性において、分光特性のピーク波長が相対的に最も近い２色の着色層１６ＥＧ，１６ＹＧに対応するサブ画素の透過領域２５ＥＧ，２５ＹＧの面積が他の着色層１６Ｂ，１６Ｒに対応するサブ画素の透過領域２５Ｂ,２５Ｒの面積に比べて小さいことを特徴とする。【選択図】図５
2007279097.tif 000002
【特許請求の範囲】
【請求項１】
互いに対向する一対の基板間に挟持された液晶層と、
画素を構成する複数のサブ画素に対応して形成された着色層を有するカラーフィルタと
を備え、前記複数のサブ画素の各々に透過領域を有する液晶装置であって、
前記複数のサブ画素の前記着色層が、４種類のピーク波長を有し、
前記各着色層の分光特性において、分光特性のピーク波長が相対的に最も近い２色の着
色層に対応するサブ画素の透過領域の面積が他の着色層に対応するサブ画素の透過領域の
面積に比べて小さいことを特徴とする液晶装置。
【請求項２】
前記分光特性のピーク波長が相対的に最も近い２色の着色層のうち、分光特性の透過率
が相対的に高いピーク波長を有する一方の着色層の透過領域の面積が、分光特性の透過率
が相対的に低いピーク波長を有する他方の着色層の透過領域の面積に比べて小さいことを
特徴とする請求項１に記載の液晶装置。
【請求項３】
前記液晶層に光を入射させる照明手段を有し、
前記分光特性のピーク波長が相対的に最も近い２色の着色層のうち、前記照明手段の分
光特性のピーク波長に相対的に最も近いピーク波長を有する一方の着色層の透過領域の面
積が他方の着色層の透過領域の面積に比べて小さいことを特徴とする請求項１または請求
項２に記載の液晶装置。
【請求項４】
前記分光特性のピーク波長が相対的に最も近い２色の着色層に対応するサブ画素は、他
の２色の着色層に対応するサブ画素の間に配置されていることを特徴とする請求項１から
請求項３のいずれか１項に記載の液晶装置。
【請求項５】
前記カラーフィルタが、前記着色層を区画する遮光部を有し、
前記分光特性のピーク波長が相対的に最も近い２色の着色層に対応するサブ画素内の遮
光部の幅が、前記他の着色層に対応するサブ画素内の遮光部の幅に比べて大きいことを特
徴とする請求項１から請求項４のいずれか１項に記載の液晶装置。
【請求項６】
請求項１から請求項５のいずれか１項に記載の液晶装置を備えたことを特徴とする電子
機器。
【発明の詳細な説明】
【技術分野】
【０００１】
本発明は、液晶装置及び電子機器に関する。
【背景技術】
【０００２】
近年、液晶表示装置として透過型液晶表示装置や反射型液晶表示装置の他、明るい場所
では反射型液晶表示装置と同様に外光を利用し、暗い場所ではバックライト等の内部光源
により表示を視認可能にした半透過反射型液晶表示装置が提案されている。
【０００３】
このような液晶表示装置として、３色のカラーフィルタを用いた場合、白表示において
、色付きが少なく、かつ、明るく視認性の高い表示が得られる半透過反射型の液晶表示装
置が提案されている（例えば、特許文献１参照。）。
【０００４】
この特許文献１に記載の液晶表示装置は、カラーフィルタが、赤，緑、青の各色素層と
、これの色素層を区画する遮光部とを有している。そして、赤，緑、青色色素層のうち、
緑色色素層において構成される緑色ドットの面積を最小とすることにより、特に白表示の
際に黄緑色の着色が生じることを防止している。
【特許文献１】特開２００４−２７１６７６号公報
【発明の開示】
【発明が解決しようとする課題】
【０００５】
ところで、近年、４色のカラーフィルタを用いたカラー液晶表示装置が提案されている
。この４色のカラーフィルタを用いた場合、色再現性に優れた液晶装置を得ることができ
る。その反面、カラーフィルタの４色のうち近い波長の色同士の発色が良くなるため、白
表示の際、ホワイトバランスが悪くなるという問題が生じる。
【０００６】
なお、上記特許文献１は、３色のカラーフィルタを用いた液晶装置であるため、４色の
カラーフィルタを用いた液晶装置に適用できるものではない。
【０００７】
本発明は、上記の課題を解決するためになされたものであって、４色のカラーフィルタ
を用いて、ホワイトバランスの優れた液晶装置及び電子機器を提供することを目的とする
。
【課題を解決するための手段】
【０００８】
上記目的を達成するために、本発明は、以下の手段を提供する。
【０００９】
本発明の液晶装置は、互いに対向する一対の基板間に挟持された液晶層と、画素を構成
する複数のサブ画素に対応して形成された着色層を有するカラーフィルタとを備え、前記
複数のサブ画素の各々に透過領域を有する液晶装置であって、前記複数のサブ画素の前記
着色層が、４種類のピーク波長を有し、前記各着色層の分光特性において、分光特性のピ
ーク波長が相対的に最も近い２色の着色層に対応するサブ画素の透過領域の面積が他の着
色層に対応するサブ画素の透過領域の面積に比べて小さいことを特徴とする。
【００１０】
発明者は、４色の着色層を有するカラーフィルタを用いた場合、各着色層の透過領域の
面積を同じにすると、分光特性のピーク波長が相対的に最も近い２色の光量が大きくなっ
てしまうことを見出した。これにより、白表示の際、相対的に最も近い２色が色味がかっ
てしまうため、ホワイトバランスが乱れることを認知した。
【００１１】
そこで、本発明に係る液晶装置では、各着色層の分光特性において、分光特性のピーク
波長が相対的に最も近い２色の着色層の透過領域の面積を他の着色層の透過領域の面積に
比べ小さくする。これにより、分光特性のピーク波長が相対的に最も近い２色の光量を抑
えることができるので、白表示の際のホワイトバランスが優れたものになる。また、着色
層が、４種類のピーク波長を有しているため、自然界に存在する色を忠実に再現すること
ができ、画像の表現力に優れた液晶装置を提供することが可能となる。
【００１２】
また、本発明の液晶装置は、前記分光特性のピーク波長が相対的に最も近い２色の着色
層のうち、分光特性の透過率が相対的に高いピーク波長を有する一方の着色層の透過領域
の面積が、分光特性の透過率が相対的に低いピーク波長を有する他方の着色層の透過領域
の面積に比べて小さいことが好ましい。
【００１３】
本発明に係る液晶装置では、ピーク波長が相対的に最も近い２色の着色層の中でも、透
過率の高いピーク波長を有する一方の着色層から射出される光量が大きくなる。このため
、一方の着色層の透過領域の面積を小さくすることにより、この一方の着色層から射出さ
れる光量を抑えることができる。したがって、よりホワイトバランスの優れた液晶装置を
提供することが可能となる。
【００１４】
また、本発明の液晶装置は、前記液晶層に光を入射させる照明手段を有し、前記分光特
性のピーク波長が相対的に最も近い２色の着色層のうち、前記照明手段の分光特性のピー
ク波長に相対的に最も近いピーク波長を有する一方の着色層の透過領域の面積が他方の着
色層の透過領域の面積に比べて小さいことが好ましい。
【００１５】
本発明に係る液晶装置では、照明手段のピーク波長に相対的に最も近いピーク波長を有
する一方の着色層から射出される光量は大きくなるが、このピーク波長を有する一方の着
色層の透過領域の面積を他方の着色層の透過領域の面積より小さくすることにより、一方
の着色層から射出される光量を抑えることができる。したがって、よりホワイトバランス
の優れた液晶装置を提供することが可能となる。
【００１６】
また、本発明の液晶装置は前記分光特性のピーク波長が相対的に最も近い２色の着色層
に対応するサブ画素は、他の２色の着色層に対応するサブ画素の間に配置されていること
が好ましい。
【００１７】
本発明に係る液晶装置では、分光特性のピーク波長が相対的に最も近い２色の着色層を
離して配置することにより、この２色が視認者にとって色味がかって見えてしまうのを抑
えることができる。すなわち、分光特性のピーク波長が相対的に最も近い２色の着色層を
隣接して配置すると、この２色が色味がかって見えてしまうが、離間して配置することに
より、より鮮明な画像を視認することが可能となる。
【００１８】
また、本発明の液晶装置は、前記カラーフィルタが、前記着色層を区画する遮光部を有
し、前記分光特性のピーク波長が相対的に最も近い２色の着色層に対応するサブ画素内の
遮光部の幅が、前記他の着色層に対応するサブ画素内の遮光部の幅に比べて大きいことが
好ましい。
【００１９】
本発明に係る液晶装置では、分光特性のピーク波長が相対的に最も近い２色の着色層の
サブ画素内の遮光部の幅を大きくすることにより、この２色の着色層に対応するサブ画素
の透過領域の面積を小さくすることができる。したがって、サブ画素のピッチを変えるこ
とがないので、設計が容易になり、また、簡易な構成で、白表示の際のホワイトバランス
が優れた液晶装置を得ることが可能となる。
【００２０】
本発明の電子機器は、上記の液晶装置を備えたことを特徴とする。
【００２１】
この構成により、ホワイトバランスの優れた表示部を備えた電子機器を提供することが
可能となる。
【発明を実施するための最良の形態】
【００２２】
以下、本発明の実施の形態を図面を用いて説明する。なお、各図においては、各層や各
部材を図面上で認識可能な程度の大きさとするため、各層や各部材毎に縮尺を異ならせて
ある。
［液晶装置の全体構成］
図１は、本実施形態に係る液晶装置の構成を示す平面構成図であり、図２は、図１のＨ
−Ｈ’線に沿う断面構成図であり、図３は、液晶装置の回路構成を示す図であり、図４は
、図１の液晶装置のカラーフィルタを示す平面図であり、図５は、液晶装置のカラーフィ
ルタを示す断面図であり、図６は、液晶装置のカラーフィルタ及び照明手段の光学特性を
示す図である。
【００２３】
図１及び図２に示すように、本実施形態の液晶装置１は、一対の基板，ＴＦＴアレイ基
板４と、カラーフィルタ基板５とからなる液晶パネル１０が平面視略矩形枠状のシール材
７を介して貼り合わされ、このシール材７に囲まれた領域内に、正の誘電率異方性を有す
るＴＮ（Twisted Nematic）型の液晶層８が封入された構成になっている。
【００２４】
シール材７内周側に沿って平面視矩形枠状の周辺見切り９が形成され、この周辺見切り
の内側の領域が表示領域１００となっている。また、液晶装置１は、図２に示すように、
液晶パネル１０にバックライトとして光を照射させる光源ユニット３０を備えている。
【００２５】
画素表示領域１００内には、画素領域（画素）Ａがマトリクス状に設けられている。こ
の画素領域Ａは、図２に示すように、画素表示領域１００の最小単位となる４つのサブ画
素Ｑから構成されている。
【００２６】
また、シール材７の外側の領域には、データ線駆動回路１０１及び外部回路実装端子１
０２がＴＦＴアレイ基板４の１辺（図示下辺）に沿って形成されており、この１辺に隣接
する２辺に沿ってそれぞれ走査線駆動回路１０４が形成されて周辺回路を構成している。
【００２７】
ＴＦＴアレイ基板４の残る１辺（図示上辺）には、表示領域１００の両側の走査線駆動
回路１０４間を接続する複数の配線１０５が設けられている。また、カラーフィルタ基板
５の各角部においては、ＴＦＴアレイ基板４とカラーフィルタ基板５との間の電気的導通
をとるための基板間導通材１０６が配設されている。本実施形態の液晶装置１は、透過型
の液晶装置として構成され、ＴＦＴアレイ基板４側に配置された光源（図示略）からの光
を変調し、カラーフィルタ基板５側から表示光として射出するようになっている。
【００２８】
図３は、上記の液晶装置の等価回路図である。  
【００２９】
同図に示すように、液晶装置の表示領域１００には、複数の画素領域Ａがマトリクス状
に配置されており、これら画素領域Ａのサブ画素Ｑには、それぞれ画素電極１１が配置さ
れている。また、その画素電極１１の側方にはＴＦＴ素子１２が形成されている。ＴＦＴ
素子１２は、該画素電極１１への通電制御を行うスイッチング素子である。このＴＦＴ素
子１２のソース側にはデータ線６ａが接続されている。各データ線６ａには、例えばデー
タ線駆動素子から画像信号Ｓ１、Ｓ２、…、Ｓｎが供給されるようになっている。
【００３０】
また、ＴＦＴ素子１２のゲート側には走査線３ａが接続されている。走査線３ａには、
例えば走査線駆動素子から所定のタイミングでパルス的に走査信号Ｇ１、Ｇ２、…、Ｇｍ
が供給されるようになっている。また、ＴＦＴ素子１２のドレイン側には画素電極１１が
接続されている。
【００３１】
走査線３ａから供給された走査信号Ｇ１、Ｇ２、…、Ｇｍにより、スイッチング素子で
あるＴＦＴ素子１２が一定期間だけオンにされると、データ線６ａから供給された画像信
号Ｓ１、Ｓ２、…、Ｓｎが、画素電極１１を介して画素領域Ａのサブ画素Ｑに所定のタイ
ミングで書き込まれるようになっている。
【００３２】
画素領域Ａのサブ画素Ｑに書き込まれた所定レベルの画像信号Ｓ１、Ｓ２、…、Ｓｎは
、画素電極１１と後述する共通電極との間に形成される液晶容量で一定期間保持される。
なお、保持された画像信号Ｓ１、Ｓ２、…、Ｓｎがリークするのを防止するため、画素電
極１１と容量線３ｂとの間に蓄積容量１４が形成され、液晶容量と並列に配置されている
。このように、液晶に電圧信号が印加されると、印加された電圧レベルにより液晶分子の
配向状態が変化する。これにより、液晶に入射した光源光が変調されて、画像光が生成さ
れるようになっている。
【００３３】
次に、液晶パネル１０の詳細について説明する。
【００３４】
ＴＦＴアレイ基板４の液晶層８側の面には、図２に示すように、マトリクス状に複数の
走査線（図示略）と複数のデータ線（図示略）とが形成され、これら走査線とデータ線と
に囲まれた画素領域Ａのサブ画素Ｑ毎に画素電極１１が設けられている。この走査線とデ
ータ線とが交差する位置にＴＦＴ素子１２が設けられ、ＴＦＴ素子１２を介して各画素電
極１１がデータ線に接続されている。これにより、走査線とデータ線に対して信号を印加
すると、ＴＦＴ素子１２がオン・オフして画素電極１１への信号の書き込みが行われるよ
うになっている。これらのＴＦＴ素子１２及び画素電極１１等上の全面にはラビング処理
が施された水平配向の配向膜１３が形成されている。
【００３５】
カラーフィルタ基板５の液晶層８側の面には、カラーフィルタ１６と、オーバーコート
層１７，共通電極１８，水平配向の配向膜１９とがこの順に積層されて形成されている。
【００３６】
また、カラーフィルタ１６は、遮光部１６ａと赤色，エメラルドグリーン色，イエロッ
シュグリーン色，青色の各着色部（着色層）１６Ｒ，１６ＥＧ，１６ＹＧ，１６Ｂとを備
え、遮光部１６ａは各着色部１６Ｒ，１６ＥＧ，１６ＹＧ，１６Ｂを区画するようにして
マトリクス状に形成されている。また、遮光部１６ａは、例えば、黒色感光性樹脂膜から
なっている。また、カラーフィルタの詳細については後述する。
【００３７】
なお、配向膜１３，１９は、液晶層８の液晶分子が初期配向状態において水平配向とな
るように、ラビング処理が施されている。
【００３８】
また、画素電極１１及び共通電極１８は、ＩＴＯなどの透光性導電材料によって形成さ
れており、配向膜１３，１９は、ポリイミド等によって形成されている。さらに、ＴＦＴ
アレイ基板４及びカラーフィルタ基板５は、例えば、ガラスなどの透明材料からなる光透
過性基板である。
【００３９】
［カラーフィルタ］
次に、カラーフィルタ１６の構成について説明する。
【００４０】
カラーフィルタ１６は、図４に示すように、複数のサブ画素Ｑに対応して形成された４
つの着色部１６Ｂ，１６ＥＧ，１６Ｒ，１６ＹＧを順に有し、１つの画素領域Ａが構成さ
れている。したがって、Ｂ，ＥＧ，Ｒ，ＹＧの各着色部１６Ｂ，１６ＥＧ，１６Ｒ，１６
ＹＧは、光源ユニット３０から射出された照明光が照射されることによって、当該照明光
に含まれる所定の波長領域（所定の色）の光を観察者側に透過させるものである。また、
カラーフィルタ１６は、このような各着色部１６Ｂ，１６ＥＧ，１６Ｒ，１６ＹＧが画像
表示領域１００の全面にわたって形成されている。
【００４１】
また、カラーフィルタ１６の各着色部１６Ｂ，１６ＥＧ，１６Ｒ，１６ＹＧに対応する
サブ画素Ｑの大きさは、すべて同一である。さらに、カラーフィルタ１６は、図５に示す
ように、着色部１６Ｂ，１６Ｒが形成されたサブ画素Ｑ内に、遮光部１６ａのうち幅Ｌの
遮光部１６ｂが形成されており、着色部１６ＥＧ，１６ＹＧが形成された画素Ｑ内には、
遮光部１６ａのうち幅Ｍの遮光部１６ｃが形成されている。この遮光部１６ｃの幅Ｍは、
遮光部１６ｂの幅Ｌに比べて大きく形成されている。
【００４２】
さらに、複数のサブ画素Ｑの各々には、図５に示すように、透過領域２５Ｒ，２５ＥＧ
，２５ＹＧ，２５Ｂが設けられている。そして、光源ユニット３０から射出された照明光
が、各着色部１６Ｂ，１６ＥＧ，１６Ｒ，１６ＹＧの透過領域２５Ｒ，２５ＥＧ，２５Ｙ
Ｇ，２５Ｂをそれぞれ透過することにより、観察者側が視認可能となっている。
【００４３】
また、着色部１６Ｂに対向するサブ画素Ｑの透過領域２５Ｂの面積は、着色部１６Ｒに
対向するサブ画素Ｑの透過領域２５Ｒの面積と同一である。また、着色部１６ＥＧに対向
するサブ画素Ｑの透過領域２５ＥＧの面積は、着色部１６ＹＧに対向するサブ画素Ｑの透
過領域２５ＹＧの面積と同一である。さらに、透過領域２５ＥＧ，２５ＹＧの面積は、透
過領域２５Ｂ，２５Ｒの面積に比べて小さくなっている。具体的には、透過領域２５Ｒ，
２５Ｂの面積を１００％とすると、透過領域２５ＥＧ，２５ＹＧの面積は８４％となって
いる。
【００４４】
次に、カラーフィルタ１６の分光特性について説明する。
【００４５】
図６に示すように、カラーフィルタ１６の青色（Ｂｌｕｅ）、エメラルドグリーン色（
Ｅｍｅｒａｌｄ  Ｇｒｅｅｎ）、イエローグリーン色（Ｙｅｌｌｏｗ  Ｇｒｅｅｎ）、赤
色（Ｒｅｄ）の４色の着色部１６Ｂ，１６ＥＧ，１６ＹＧ，１６Ｒの波長選択特性が可視
光の短波長側から長波長側に向けて、順に分布している。したがって、カラーフィルタ１
６は、光源ユニット３０から射出された照明光に対して４つのピーク波長を選択的に透過
させるようになっている。
【００４６】
具体的には、青色の波長帯域は、４００ｎｍ〜４９０ｎｍであり、エメラルドグリーン
色の波長帯域は、４９０ｎｍ〜５２０ｎｍであり、イエローグリーン色の波長帯域は、５
２０ｎｍ〜５７０ｎｍであり、赤色の波長帯域は、６００ｎｍ〜である。また、青色のピ
ーク波長は４５０ｎｍであり、エメラルドグリーン色のピーク波長は５０５ｎｍであり、
イエローグリーン色のピーク波長は５４０ｎｍであり、赤色のピーク波長は６８０ｎｍ以
上である。
【００４７】
なお、赤色のピーク波長とは、透過率が飽和する波長帯域である６８０ｎｍ以上を示す
ものとする。
【００４８】
また、カラーフィルタ１６の各着色部１６Ｂ，１６ＥＧ，１６Ｒ，１６ＹＧのピーク波
長での透過率は、図６に示すように、青色が約５０％であり、エメラルドグリーン色が約
７０％であり、イエローグリーン色が約８０％であり、赤色が約９０％となっている。
【００４９】
ここで、青色，エメラルドグリーン色，イエローグリーン色，赤色の分光特性のピーク
波長は、エメラルドグリーン色とイエローグリーン色との差が３５ｎｍとなっており、こ
のエメラルドグリーン色とイエローグリーン色とが相対的に最も近くなっている。このた
め、透過領域２５Ｂ，２５ＥＧ，２５Ｒ，２５ＹＧの面積が同じである場合、透過領域２
５ＥＧ，２５ＹＧを透過する照明光の光量が大きくなってしまい、ホワイトバランスが乱
れてしまう。そこで、着色部１６ＥＧ，１６ＹＧの透過領域２５ＥＧ，２５ＹＧの面積を
、上述したように、着色部１６Ｒ，１６Ｂの透過領域２５Ｒ，２５Ｂの面積に比べて小さ
くしている。このようにして、着色部１６ＥＧ，１６ＹＧの透過領域２５ＥＧ，２５ＹＧ
から観察者側へ射出される照明光の光量を抑えている。
【００５０】
なお、このようなカラーフィルタ１６の製造方法は、公知の方法が採用される。例えば
、フォトリソグラフィ技術を用いることにより塗布形成されたレジストを露光、現像する
ことによりＢ、ＥＧ、ＹＧ、Ｒの各々の着色部を形成する方法が挙げられる。また、イン
クジェット法を用いることにより、各種液体材料が充填された吐出ヘッドからＢ、ＥＧ、
ＹＧ、Ｒの各々の材料を所定パターンで吐出形成する方法が挙げられる。また、Ｂ、ＥＧ
、ＹＧ、Ｒの各々を染色することによってカラーフィルタ１２を形成する方法が挙げられ
る。
【００５１】
また、ストライプ型によってＢ、ＥＧ、ＹＧ、Ｒの４色を配置する場合、配置の順序に
自由度が発生する（３色の場合はどの順で配置しても周期性と対称性により自由度なし）
。図４は、左からＢ、ＥＧ、ＹＧ、Ｒの順に配置した例を示したが、この順以外にも、Ｂ
、ＥＧ、ＹＧ、Ｒなどいくつかの順序が考えられる。ただし、本実施形態のように、分光
特性のピーク波長が相対的に最も近い２色の着色部１６ＥＧ，１６ＹＧに対応するサブ画
素Ｑは、他の２色の着色部１６Ｂ，１６Ｒに対応するサブ画素Ｑの間に配置されているこ
とが好ましい。この構成により、この２色の着色部１６ＥＧ，１６ＹＧから射出される光
量を抑えることができる。すなわち、分光特性のピーク波長が相対的に最も近い２色の着
色部を隣接して配置すると、白表示の際、エメラルドグリーン色及びイエローグリーン色
が色味がかってしまうが、離間して配置することにより、このエメラルドグリーン色及び
イエローグリーン色の光量を抑え、より鮮明な画像を表示することが可能となる。
【００５２】
また、ストライプ型配列に限らず、デルタ型配列や、モザイク配列によってＢ，ＹＧ，
Ｒ，ＥＧを単位画素内に配置させてもよい。
【００５３】
［光源ユニット］
次に、光源ユニット３０の構成について説明する。
【００５４】
光源ユニット３０は、本発明の照明部として機能するものであり、分光特性において複
数のピーク波長を含む照明光を、液晶層８に対して均一光量で照射すると共に、被照射対
象としてのカラーフィルタ１６の着色部１６Ｂ，１６ＥＧ，１６Ｒ，１６ＹＧに対して照
明光を照射する機能を有するものである。このような光源ユニット３０は、図２に示すよ
うに、光源３１と導光板３２とによって構成され、光源３１から発光した光を導光板３２
内部に均一に広げて、液晶パネル１０側（矢印Ｐ方向）に照明光を出射するようになって
いる。光源３１は、蛍光管タイプのＣＣＦＬであって、当該蛍光管内には複数種類の蛍光
材が塗布されている。また、蛍光材の混合比を調整することによって、所望の分光特性が
得られるようになっている。また、導光板３２は、アクリル等の樹脂からなるものである
。
【００５５】
次に、光源ユニット３０の分光特性について説明する。
【００５６】
光源ユニット３０は、図６に示すように、可視光の短波長側から長波長側に向けて、青
色、イエローグリーン色にピーク波長を順に有している。なお、図６に示すグラフは、分
光放射輝度分布を示し、正規化したものである。
【００５７】
具体的には、光源ユニット３０から射出される光の波長帯域は、４２０ｎｍ〜４７０ｎ
ｍと、５００ｎｍ〜６５０ｎｍとのピークを有している。また、光源ユニット３０のピー
ク波長は、４６０ｎｍ、５５０ｎｍである。
【００５８】
ここで、着色部１６Ｂのピーク波長と光源ユニット３０のピーク波長（４６０ｎｍ）と
は、ほぼ一致しており、着色部１６ＹＧのピーク波長と光源ユニット３０のピーク波長（
５５０ｎｍ）とは、ほぼ一致している。
【００５９】
本実施形態に係る液晶装置１では、各着色部１６Ｂ，１６ＥＧ，１６Ｒ，１６ＹＧの分
光特性において、分光特性のピーク波長が相対的に最も近い２色の着色部１６ＥＧ，１６
ＹＧの透過領域２５ＥＧ，２５ＹＧの面積を他の着色部１６Ｂ，１６Ｒの透過領域２５Ｂ
，２５Ｒの面積に比べ小さくなっている。これにより、分光特性のピーク波長が相対的に
最も近いエメラルドグリーン色及びイエローグリーン色の光量を抑えることができるので
、白表示の際のホワイトバランスが優れたものになる。また、着色部１６Ｂ，１６ＥＧ，
１６Ｒ，１６ＹＧが、４種類のピーク波長を有しているため、自然界に存在する色を忠実
に再現することができ、画像の表現力に優れた液晶装置１を提供することが可能となる。
【００６０】
なお、透過領域２５ＥＧの面積は、透過領域２５ＹＧの面積と同一であるとしたが、着
色部１６ＥＧ,１６ＹＧにおいて、分光特性のピーク波長が相対的に最も近いエメラルド
グリーン色及びイエローグリーン色の着色部１６ＥＧ，１６ＹＧのうち、分光特性の透過
率が高いピーク波長を有する着色部１６ＹＧの透過領域２５ＹＧの面積が、分光特性の透
過率が低いピーク波長を有する着色部１６ＥＧの透過領域２５ＥＧの面積に比べて小さく
しても良い。
【００６１】
ここで、分光特性の透過率が高いピーク波長を有する着色部１６ＹＧから射出される照
明光の光量は大きくなる。しかしながら、着色部１６ＹＧの透過領域２５ＹＧの面積を小
さくすることにより、着色部１６ＹＧから射出される光量を抑えることができる。したが
って、よりホワイトバランスの優れた液晶装置１を提供することが可能となる。
【００６２】
さらに、透過領域２５ＥＧの面積は、透過領域２５ＹＧの面積と同一であるとしたが、
光源ユニット３０とカラーフィルタ１６との関係において、イエローグリーン色のピーク
波長と光源ユニット３０のピーク波長（５５０ｎｍ）とが、一致しているため、着色部（
一方の着色層）１６ＹＧの透過領域の面積２５ＹＧを着色部１６ＥＧ（他方の着色層）に
比べて小さくしても良い。
【００６３】
ここで、光源ユニット３０のピーク波長に相対的に最も近いピーク波長を有する着色部
１６ＹＧから射出される照明光の光量は大きくなる。しかしながら、このピーク波長を有
する着色部１６ＹＧの透過領域２５ＹＧの面積を着色部１６ＥＧの透過領域２５ＥＧの面
積より小さくすることにより、着色部１６ＥＧから射出される光量を抑えることができる
。したがって、よりホワイトバランスの優れた液晶装置を提供することが可能となる。
［電子機器］
図７は、上記一実施形態の液晶装置１を搭載した電子機器の一例を示す図である。図７
に示す携帯電話２００は、上記実施形態の液晶装置１を表示部２０１として備えて構成さ
れている。このような構成により、ホワイトバランスに優れ、高画質な液晶表示部を備え
た電子機器を提供することができる。
【００６４】
なお、本発明の技術範囲は上記実施形態に限定されるものではなく、本発明の趣旨を逸
脱しない範囲において種々の変更を加えることが可能である。
【００６５】
例えば、着色部１６Ｂ，１６ＥＧ，１６Ｒ，１６ＹＧのピーク波長は上記したものに限
らない。
【００６６】
また、サブ画素Ｑ内の一部に反射領域を設けて、半透過反射型液晶装置として用いるこ
とも可能である。
【図面の簡単な説明】
【００６７】
【図１】本発明の一実施形態に係る液晶装置の全体構成を示す図である。
【図２】図１の液晶装置のＨ−Ｈ’線における断面図である。
【図３】本実施形態に係る液晶装置の回路構成を示す図である。
【図４】図１の液晶装置のカラーフィルタを示す平面図である。
【図５】図１の液晶装置のカラーフィルタを示す断面図である。
【図６】図１の液晶装置のカラーフィルタ及び照明手段の光学特性を示す図である。
【図７】本発明の電子機器の全体構成を示す斜視図である。
【符号の説明】
【００６８】
Ａ…画素領域（画素）、Ｑ…サブ画素、１…液晶装置、１６…カラーフィルタ、１６Ｂ
，１６ＥＧ，１６Ｒ，１６ＹＧ…着色部（着色層）、２５Ｂ，２５ＥＧ，２５ＹＧ…透過
領域
【図１】
2007279097.tif 000003
【図２】
2007279097.tif 000004
【図３】
2007279097.tif 000005
【図４】
2007279097.tif 000006
【図５】
2007279097.tif 000007
【図６】
2007279097.tif 000008
【図７】
2007279097.tif 000009